(57)【要約】【課題】電子辞書コンテンツを、見出し語毎に頁を変えることなく表示画面に表示する表示装置において、単語帳に関連する操作を容易にする。【解決手段】電子辞書端末（１００）は、表示部（１）と、見出し語および当該見出し語の説明情報を含む電子辞書コンテンツを、前記見出し語毎に頁を変えずに前記表示部に表示させる表示制御部（４）と、前記見出し語のリストである単語帳を保持する単語帳保持部（５）と、を備え、前記表示制御部（４）は、前記表示部に複数の見出し語を表示させているとき、当該各見出し語に対応する単語帳操作アイコンを、当該各見出し語から所定の範囲内にそれぞれ表示させ、前記単語帳保持部（５）は、前記単語帳操作アイコンが選択されたとき、当該単語帳操作アイコンに対応する見出し語を、前記単語帳に登録または登録解除する。【選択図】図９
2019049847.tif 000002
【特許請求の範囲】
【請求項１】
表示部と、
見出し語および当該見出し語の説明情報を含む電子辞書コンテンツを、前記見出し語毎に頁を変えずに前記表示部に表示させる表示制御部と、
前記見出し語のリストである単語帳を保持する単語帳保持部と、を備え、
前記表示制御部は、前記表示部に複数の見出し語を表示させているとき、当該各見出し語に対応する単語帳操作アイコンを、当該各見出し語から所定の範囲内にそれぞれ表示させ、
前記単語帳保持部は、前記単語帳操作アイコンが選択されたとき、当該単語帳操作アイコンに対応する見出し語を、前記単語帳に登録または登録解除することを特徴とする表示装置。
【請求項２】
上記単語帳操作アイコンは、単語帳登録アイコンおよび単語帳登録解除アイコンを含み、
前記表示制御部は、前記単語帳に含まれていない見出し語から所定の範囲内には前記単語帳登録アイコンを表示させ、前記単語帳に含まれている見出し語から所定の範囲内には前記単語帳登録解除アイコンを表示させ、
前記単語帳保持部は、前記単語帳登録アイコンが選択されたとき、当該単語帳登録アイコンに対応する見出し語を、前記単語帳に追加し、前記単語帳登録解除アイコンが選択されたとき、当該単語帳登録解除アイコンに対応する見出し語を、前記単語帳から削除することを特徴とする請求項１に記載の表示装置。
【請求項３】
前記表示制御部は、前記見出し語に対応する単語帳リスト前後アイコンを、当該各見出し語から所定の範囲内にさらに表示させ、前記単語帳リスト前後アイコンが選択されたとき、前記単語帳において、当該単語帳リスト前後アイコンに対応する見出し語の前または後に並んでいる見出し語が含まれる前記電子辞書コンテンツの頁を前記表示部に表示させることを特徴とする請求項１または２に記載の表示装置。
【請求項４】
上記単語帳において、上記見出し語の並び順は、各見出し語を登録した時系列順である登録順、各見出し語の辞書における並び順である辞書順、各見出し語の検索回数の多い順である検索回数順、およびランダム順からなる群から選ばれる少なくとも一種類であることを特徴とする請求項３に記載の表示装置。
【請求項５】
前記表示制御部は、各見出し語について、該見出し語が検索された検索回数を表示する検索回数表示アイコンを、当該各見出し語から所定の範囲内にさらに表示させることを特徴とする請求項１から４のいずれか１項に記載の表示装置。
【請求項６】
前記表示制御部は、上記見出し語の重要度に応じて、上記各見出し語から所定の範囲内の一領域を異なる色で表示させることを特徴とする請求項１から５のいずれか１項に記載の表示装置。
【請求項７】
各見出し語が検索された回数である検索回数、または、前記単語帳に登録されている見出し語をサーバに送信し、当該サーバから、前記表示装置および他の表示装置において各見出し語が検索された回数の合計検索回数、または、前記表示装置および前記他の表示装置において各見出し語が前記単語帳に登録されている数である登録数を取得する通信部を更に備え、
前記表示制御部は、前記合計検索回数または前記登録数を示す表示を、上記各見出し語から所定の範囲内に表示させることを特徴とする請求項１から６のいずれか１項に記載の表示装置。
【請求項８】
表示部を備えた表示装置の制御方法であって、
見出し語および当該見出し語の説明情報を含む電子辞書コンテンツを、前記見出し語毎に頁を変えずに前記表示部に表示させる表示制御工程と、
前記見出し語のリストである単語帳を保持する単語帳保持工程と、を含み、
前記表示制御工程では、前記表示部に複数の見出し語を表示させているとき、当該各見出し語に対応する単語帳操作アイコンを、当該各見出し語から所定の範囲内にそれぞれ表示させ、
前記単語帳操作アイコンが選択されたとき、当該単語帳操作アイコンに対応する見出し語を、前記単語帳に登録または登録解除する単語帳操作工程をさらに含むことを特徴とする表示装置の制御方法。
【発明の詳細な説明】
【技術分野】
【０００１】
本発明は、電子辞書コンテンツを表示する表示装置および当該表示装置の制御方法に関する。
【背景技術】
【０００２】
特許文献１には、検索文字列に対応するコンテンツに関する情報を一覧表示する技術が記載されている。特許文献２には、見出し語の識別結果に応じてスクロール表示のスクロール速度を低下させる技術が記載されている。
【先行技術文献】
【特許文献】
【０００３】
【特許文献１】特開２０１５−３２０６６号公報（２０１５年２月１６日公開）
【特許文献２】特開２００７−９４９８７号公報（２００７年４月１２日公開）
【発明の概要】
【発明が解決しようとする課題】
【０００４】
ところで、本発明者らは、独自の発想に基づき、見出し語と当該見出し語の説明情報とが含まれる電子辞書コンテンツを、紙の辞書のような体裁で、すなわち、見出し語毎に頁を変えることなく表示画面に表示する表示装置を鋭意開発している。
【０００５】
特に、本発明者らは、当該表示装置に、見出し語のリストを保持する単語帳の機能を持たせることを検討している。ここで、本発明者らの独自の知見によれば、当該表示装置では、単語帳に関連する操作が困難になる場合がある。例えば、当該表示装置では、表示画面に複数の見出し語が表示されることが起こり得るため、ある見出し語を単語帳に登録するつもりが、誤って別の見出し語を登録してしまう虞がある。
【０００６】
本発明は、上記課題に鑑みてなされたものであり、電子辞書コンテンツを、見出し語毎に頁を変えることなく表示画面に表示する表示装置において、単語帳に関連する操作を容易にすることを主たる目的とする。
【課題を解決するための手段】
【０００７】
上記の課題を解決するために、本発明の一態様に係る表示装置は、表示部と、見出し語および当該見出し語の説明情報を含む電子辞書コンテンツを、前記見出し語毎に頁を変えずに前記表示部に表示させる表示制御部と、前記見出し語のリストである単語帳を保持する単語帳保持部と、を備え、前記表示制御部は、前記表示部に複数の見出し語を表示させているとき、当該各見出し語に対応する単語帳操作アイコンを、当該各見出し語から所定の範囲内にそれぞれ表示させ、前記単語帳保持部は、前記単語帳操作アイコンが選択されたとき、当該単語帳操作アイコンに対応する見出し語を、前記単語帳に登録または登録解除する。
【０００８】
本発明の一態様に係る表示装置の制御方法は、表示部を備えた表示装置の制御方法であって、見出し語および当該見出し語の説明情報を含む電子辞書コンテンツを、前記見出し語毎に頁を変えずに前記表示部に表示させる表示制御工程と、前記見出し語のリストである単語帳を保持する単語帳保持工程と、を含み、前記表示制御工程では、前記表示部に複数の見出し語を表示させているとき、当該各見出し語に対応する単語帳操作アイコンを、当該各見出し語から所定の範囲内にそれぞれ表示させ、前記単語帳操作アイコンが選択されたとき、当該単語帳操作アイコンに対応する見出し語を、前記単語帳に登録または登録解除する単語帳操作工程をさらに含む。
【発明の効果】
【０００９】
本発明の一態様によれば、電子辞書コンテンツを、見出し語毎に頁を変えることなく表示画面に表示する表示装置において、単語帳に関連する操作を容易にすることができる。
【図面の簡単な説明】
【００１０】
【図１】本発明の一実施形態に係る表示装置の一例を示す斜視図である。
【図２】本発明の一実施形態に係る表示例１を示す図である。
【図３】本発明の一実施形態に係る表示例２を示す図である。
【図４】本発明の一実施形態に係る表示例３を示す図である。
【図５】本発明の一実施形態に係る表示例４を示す図である。
【図６】本発明の一実施形態に係る表示例５を示す図である。
【図７】本発明の一実施形態に係る表示例６を示す図である。
【図８】本発明の一実施形態に係る表示例７を示す図である。
【図９】本発明の一実施形態に係る表示装置の概略構成を示す機能ブロック図である。
【図１０】本発明の一実施形態に係る表示システムの概略構成を示す機能ブロック図である。
【発明を実施するための形態】
【００１１】
以下、本発明の一実施形態について、詳細に説明する。ただし、本実施形態に記載されている構成は、特に特定的な記載がない限り、この発明の範囲をそれのみに限定する趣旨ではなく、単なる説明例に過ぎない。また説明の便宜上、各実施形態に示した部材と同一の機能を有する部材については、同一の符号を付し、適宜その説明を省略する。
【００１２】
本明細書では、表示部を備えた表示装置として、タブレット型の電子辞書端末を例に挙げているが、本発明に係る表示装置はこれに限定されない。表示装置は例えば、折り畳み式の電子辞書端末、携帯電話機、スマートフォン、タブレット型端末、その他表示部を備えたコンピュータ等であり得る。
【００１３】
なお、本明細書において単語帳とは、ユーザによって登録された見出し語のリストを指す。
【００１４】
図１は、電子辞書端末（表示装置）１００の一例を示す斜視図である。図１に示すように、電子辞書端末１００は、表示部１を備えている。表示部１は、タッチパネルであり、入力部２としても機能する。但し、他の実施形態において、表示部１は、電子辞書コンテンツを表示することができるディスプレイディスプレイデバイスであればよく、例えば、液晶パネルや、有機ＥＬパネル等であり得る。また、入力部２は、ユーザの操作、例えば、表示部１に表示されたアイコンの選択や、検索語の入力等が可能な入力デバイスであればよく、タッチパッド、キーボード、マウス等であり得る。
【００１５】
図９は、電子辞書端末１００の概略構成を示す機能ブロック図である。図９に示すように、電子辞書端末１００は、表示部１、入力部２および主制御部３を備えている。主制御部３は、電子辞書端末１００を統括的に制御する制御部であり、表示制御部４および単語帳保持部５としても機能する。表示制御部４は、表示部１の表示を制御する。単語帳保持部５は、ユーザによって登録された見出し語のリストである単語帳を保持すると共に、単語帳への見出し語の登録および登録解除を処理する。
【００１６】
（表示例１）
図２は、電子辞書端末１００の表示例１を示す図である。図２に示すように、表示制御部４は、表示部１に、６０ａ、６０ｂを含む複数の見出し語と、各見出し語の説明情報とを表示している。例えば、７０ａは、６０ａの説明情報であり、７０ａの意味を３種類表示している。また、７０ｂは、６０ｂの説明情報であり、７０ｂの意味を１種類表示している。以下、表示例１のように、複数の見出し語と、各見出し語の説明情報とを表示している画面を、辞書画面とも称する。なお、電子辞書端末１００は、公知の電子辞書端末またはソフトウェアのように、見出し語の検索ができるようになっている。
【００１７】
電子辞書端末１００が表示する複数の見出し語、および各見出し語の説明情報は、特に限定されないが、例えば、図２に示すように、見出し語、および該見出し語の意味、語源、用例等の説明情報を、辞書順に複数並べた電子辞書コンテンツであり得る。なお、本願において、辞書順とは、市販されている辞書における見出し語の並び順を指す。例えば、辞書順は、見出し語を英単語とする形態においては、アルファベット順であり得、見出し語を日本語の単語とする形態においては、五十音順であり得る。
【００１８】
表示制御部４は、見出し語および当該見出し語の説明情報を含む電子辞書コンテンツを、見出し語毎に頁を変えずに表示部１に表示させる。これにより、表示部１に、電子辞書コンテンツを、紙の辞書のような体裁で表示することができる。なお、一実施形態において、表示制御部４は、電子辞書端末１００が縦置きである場合には、表示部１に、電子辞書コンテンツの１頁を表示させ、電子辞書端末１００が横置きである場合には、表示部１に、電子辞書コンテンツの２頁を見開きで表示させる。
【００１９】
表示制御部４は、表示部１において、単語帳操作アイコンが、各見出し語から所定の範囲内にそれぞれ表示させる。単語帳操作アイコンとしては、単語帳登録アイコンおよび単語帳登録解除アイコンがある。例えば図２においては、見出し語６０ａに対して単語帳登録アイコン１０が、見出し語６０ｂに対して単語帳登録解除アイコン１１が、それぞれ表示されている。このように、表示制御部４は、表示部１に複数の見出し語を表示させているとき、当該各見出し語に対応する単語帳操作アイコンを、当該各見出し語から所定の範囲内にそれぞれ表示させる。
【００２０】
図２に示すように、本表示例においては、表示制御部４は、見出し語６０ａに対して、位置４０に単語帳登録アイコン１０が、見出し語６０ｂに対して、位置４１に単語帳登録解除アイコン１１が、それぞれ表示させる。なお、単語帳登録に関連するアイコンの表示位置は、各見出し語から所定の範囲内であれば、特に限定されない。各見出し語から所定の範囲内に該見出し語の単語帳登録に関連するアイコンをそれぞれ表示することで、ユーザは各見出し語に対して表示されている単語帳登録に関連するアイコンを操作することにより、容易に該見出し語を単語帳へ登録することができる。
【００２１】
好ましくは、表示制御部４は、表示部１において、ある見出し語の単語帳登録に関連するアイコンは、その見出し語から所定の範囲内、かつ該ある見出し語以外の見出し語から所定の範囲外に表示させる。この構成によれば、各見出し語に対して単語帳登録に関連する操作を行う際に、どのアイコンを操作すればよいかを、ユーザがより容易に認識することが可能になる。
【００２２】
単語帳登録に関連するアイコンは、各見出し語の単語帳登録に関連する操作を行うためのアイコンであれば、特に限定されない。単語帳登録に関連する操作としては、例えば、単語帳への見出し語の登録、単語帳からの見出し語の登録解除、単語帳に登録されている他の見出し語への移動、単語帳と辞書画面との遷移等の操作が含まれる。なお、ある画面が別の画面へと遷移するとは、表示部１に表示されている画面が、別の画面に切り替わることを指す。
【００２３】
また、入力部２は、どのアイコンがユーザによって選択されたかを検出して、表示制御部４および単語帳保持部５に通知する。また、入力部２は、アイコンが選択されたことだけでなく、長押しされたか否かを検出して、表示制御部４および単語帳保持部５に通知するようになっていてもよい。表示制御部４および単語帳保持部５は、入力部２から通知された入力部２の検出結果に基づいて以下に示す種々の処理を実施する。
【００２４】
また、本表示例においては、後述するように、表示制御部４は、各見出し語について、単語帳登録の有無により、見出し語に対して表示される単語帳登録に関連するアイコンの種類を異ならせる。この構成によれば、各見出し語が単語帳に登録されているか否かを、ユーザが容易に認識することが可能である。以下、単語帳登録に関連する各アイコンの機能について説明する。
【００２５】
図２に示すように、表示制御部４は、単語帳登録されていない見出し語６０ａに対しては、単語帳登録アイコン１０を表示させる。単語帳登録アイコン１０がユーザによって選択されたとき、単語帳保持部５は、見出し語６０ａを単語帳に登録する。なお、各単語帳登録に関連するアイコンを選択する方法は特に限定されず、従来公知の電子辞書端末やコンピュータデバイスにおいてアイコンの選択に用いられている方法を用いることができる。
【００２６】
表示制御部４は、単語帳登録されている見出し語６０ｂに対しては、単語帳登録解除アイコン１１、単語帳リスト前後アイコン１２、および画面遷移アイコン１３を表示させる。なお、本表示例のように、ある見出し語に対して単語帳登録に関連するアイコンを複数表示する場合、各単語帳登録に関連するアイコンの並べ方、および並び順は特に限定されない。以下、各単語帳登録に関連するアイコンの機能について説明する。
【００２７】
単語帳登録解除アイコン１１は、見出し語６０ｂの単語帳への登録を解除するためのアイコンである。単語帳登録解除アイコン１１がユーザによって選択されたとき、単語帳保持部５は、見出し語６０ｂの単語帳への登録を解除する。
【００２８】
単語帳リスト前後アイコン１２は、単語帳において見出し語６０ｂの前後に並んでいる見出し語へ移動するためのアイコンである。単語帳リスト前後アイコン１２の右矢印が選択されたとき、表示制御部４は、表示部１に表示されている辞書画面から、単語帳において見出し語６０ｂの後に並んでいる見出し語を含む辞書画面へと遷移させる。また、単語帳リスト前後アイコン１２の左矢印が選択されたとき、表示制御部４は、単語帳において見出し語６０ｂの前に並んでいる見出し語を含む辞書画面へと遷移させる。なお、見出し語６０ｂと、単語帳において見出し語６０ｂの後に並んでいる見出し語とが辞書画面の同一ページ上に存在する場合、画面遷移は起こらないこともある。
【００２９】
なお、単語帳における見出し語の並び順は、特に限定されない。例えば、単語帳における見出し語の並び順は、登録順、辞書順、検索回数順、およびランダム順であり得る。登録順とは、各見出し語を、登録した時系列順に並べた順である。検索回数順とは、各見出し語が検索された回数である検索回数が多い順を指す。また、ランダム順とは、各見出し語をランダムに並べた順であり、当然その並び順は特定の並び順に限定されない。
【００３０】
単語帳における見出し語の並び順は、上述した複数種類の並び順のいずれか一つであってもよく、また複数種類の並び順の中から、用途に合わせてユーザがいずれかの並び順を図示しない設定画面において選択する構成となっていてもよい。また、単語帳における見出し語の並び順は、上述した複数種類の並び順のうち複数種類を組み合わせて算出した順とすることもできる。例えば検索回数順および辞書順を組み合わせる一例においては、単語帳における見出し語の並び順を、検索回数順であり、かつ同じ検索回数順の見出し語が辞書順に並んだ並び順とすることができる。
【００３１】
例えば単語帳における見出し語の並び順を登録順とすることによって、ユーザは電子辞書端末１００を単語カードのように用いて学習を行うことが可能である。
【００３２】
なお、見出し語の並び順を辞書順とする形態においては、表示制御部４は、単語帳リスト前後アイコン１２を、各見出し語から所定の範囲内にそれぞれ表示せずに、画面に一つのみ表示させてもよい。単語帳リスト前後アイコン１２を画面に一つのみ表示する形態としては、表示制御部４が、例えば単語帳リスト前後アイコン１２を、図６を用いて後述するツールバー上に表示させる形態があり得る。
【００３３】
画面遷移アイコン１３は、辞書画面から辞書画面への遷移を行うためのアイコンである。画面遷移アイコン１３がユーザによって選択されたとき、表示制御部４は、表示部１に表示される画面を、辞書画面から単語帳の見出し語６０ａを含むページ（単語帳画面）へと遷移させる。
【００３４】
なお、表示制御部４は、画面遷移アイコン１３を、各見出し語から所定の範囲内にそれぞれ表示せずに、画面に一つのみ表示させてもよい。画面遷移アイコン１３を画面に一つのみ表示する形態としては、表示制御部４が、例えば画面遷移アイコン１３を、図６を用いて後述するツールバー上に表示させる形態があり得る。
【００３５】
（表示例２）
図３は、電子辞書端末１００の表示例２を示す図である。表示例２においては、表示制御部４は、表示例１において説明した単語帳登録に関連するアイコンの他、見出し語表示アイコン１４、本文表示アイコン１５、類義語検索アイコン１６、および対語検索アイコン１７が、見出し語６０ｂに対して位置４２に表示させる。また、本表示例においては、表示制御部４は、見出し語６０ｂに対する単語帳登録に関連するアイコンを、位置４２に表示させる。以下、各単語帳登録に関連するアイコンの機能について説明する。
【００３６】
見出し語表示アイコン１４、および本文表示アイコン１５は、それぞれ見出し語、およびその説明情報を表示するか、または非表示とするかを切り替えるためのアイコンである。なお、本明細書において本文とは、表示装置が電子辞書端末１００である本実施形態においては、見出し語に対する説明情報と同義で用いている。
【００３７】
表示制御部４は、見出し語表示アイコン１４または本文表示アイコン１５が選択されると、それぞれのアイコンに対応する見出し語または説明情報を表示するか、または非表示とするかを切り替えるとともに、見出し語表示アイコン１４、および本文表示アイコン１５のアイコンの色を変化させる。すなわち、見出し語表示アイコン１４、および本文表示アイコン１５のアイコンの色は、見出し語、および説明情報が表示されているか、非表示の状態であるかを示す。例えば、図３に示すように、見出し語表示アイコン１４および本文表示アイコン１５が、白地および黒文字の組合せのアイコンとなっている場合には、見出し語および説明情報は表示されており、アイコンの色が反転、すなわちアイコンが黒地および白文字の組合せとなっていう場合には、見出し語および説明情報は非表示となっている。本表示例では、見出し語表示アイコン１４が白地および黒文字の組合せのアイコンとなっているため、見出し語６０ｂが非表示となっている。また、本文表示アイコン１５が黒地および白文字の組合せのアイコンとなっているため、説明情報７０ｂが表示されている。
【００３８】
類義語検索アイコン１６は、見出し語６０ｂに対する類義語を検索するためのアイコンである。表示制御部４は、類義語検索アイコン１６が選択されると、辞書画面を、見出し語６０ｂに対する類義語の検索結果を示す画面へと遷移させる。
【００３９】
対語検索アイコン１７は、見出し語６０ｂに対する対義語を検索するためのアイコンである。表示制御部４は、対語検索アイコン１７が選択されると、辞書画面を、見出し語６０ｂに対する対語の検索結果を示す画面へと遷移させる。
【００４０】
（表示例３）
図４は、電子辞書端末１００の表示例３を示す図である。表示例３においては、各見出し語に対する単語帳登録に関連するアイコンの表示位置が、表示例１および２とは異なる。図４に示すように、表示制御部４は、単語帳登録解除アイコン１１を、各見出し語に対して、横方向に表示させており、単語帳登録解除アイコン１１に対して長押し等の操作がなされたとき、単語帳登録に関連する他のアイコンをポップアップさせるようになっている。単語帳登録に関連するアイコンをポップアップを利用して表示することによって、単語帳登録に関連するアイコンを、より多く表示することができる。なお、図４においては示していないが、表示制御部４は、単語帳登録されていない見出し語に対しては、単語帳登録解除アイコン１１の代わりに、単語帳登録アイコン１０を表示させる。以下、ポップアップを用いた表示（以下、ポップアップ表示とも称する）の例について説明する。なお、単語帳リスト前後アイコン１２は、本表示例においては、表示例１および２とは異なり、単語帳登録解除アイコン１１に対して縦方向に表示されている。すなわち、単語帳リスト前後アイコン１２の方向は特に限定されない。
【００４１】
ポップアップの一表示例として、見出し語６０ａに対して、単語帳登録に関連するアイコンが位置４３に表示されている例を図４において示した。表示制御部４は、本例のように、見出し語６０ａが辞書画面の比較的上部に存在している場合、単語帳登録に関連するアイコンを見出し語６０ａの下部に向かってポップアップさせる。
【００４２】
ポップアップの他の表示例として、見出し語６０ｄに対して、単語帳登録に関連するアイコンが位置４５に表示されている例を示した。表示制御部４は、本例のように、見出し語６０ｄが辞書画面の下部に存在している場合、単語帳登録に関連するアイコンを見出し語６０ｄの上部に向かってポップアップさせいる。
【００４３】
このように、表示制御部４は、ポップアップさせるアイコンに対応する見出し語の位置に応じて、ポップアップさせる方向を切り替えてもよい。
【００４４】
ポップアップの他の表示例として、見出し語に対して、単語帳登録に関連するアイコンが位置４６に表示されている例を示した。表示制御部４は、位置４６において示すように、位置４３における表示とは異なり、単語帳登録に関連するアイコンが横方向にポップアップさせてもよい。本例のように、単語帳登録に関連するアイコンを、縦方向ではなく横方向に表示する形態は、見出し語が、辞書画面の下部に表示されており、見出し語の下部に向かってポップアップ表示をすることができない場合において特に有効である。
【００４５】
位置４４においては、ポップアップ表示前の、単語帳登録解除アイコン１１の表示例を示した。一例においては、表示制御部４は、単語帳登録解除アイコン１１が長押しされたときに、単語帳登録に関連する他のアイコンをポップアップさせる。また、他の例においては、表示制御部４は、位置４４の下段に示すように単語帳登録解除アイコン１１の横にメニューアイコン１９を表示させており、該メニューアイコン１９が押されたときに、ポップアップ表示を行う。また、メニューアイコン１９の形態は特に限定されず、例えば、三点リーダ（…）の形態であってもよい。
【００４６】
（表示例４）
図５は、電子辞書端末１００の表示例４を示す図である。本表示例においては、単語帳における見出し語の並び順が、辞書順に設定されているものとする。
【００４７】
本表示例では、表示制御部４は、辞書画面の各ページにおいて最も早く登場する見出し語に対して、位置４７で表示されているように、単語帳リスト前後アイコンの代わりに、単語帳リスト前アイコン２０のみを表示させる。単語帳における見出し語の並び順が辞書順であるため、表示制御部４は、単語帳リスト前アイコン２０が選択されたとき、辞書画面を前のページへと遷移させる。
【００４８】
また、辞書画面の各ページにおいて最も遅く登場する見出し語に対して、表示制御部４は、位置５０において示すように、単語帳リスト前後アイコンの代わりに、単語帳リスト後アイコン２１のみを表示させる。表示制御部４は、単語帳リスト後アイコン２１が選択されたとき、辞書画面が後ろのページへと遷移させる。
【００４９】
なお、辞書画面の各ページにおいて、最も早く、又は最も遅く登場する見出し語以外の見出し語に対しては、表示制御部４は、位置４８および位置４９において示すように、単語帳リスト前後アイコンを表示しない。
【００５０】
なお、図５に示すように、表示制御部４は、辞書画面を、アイコン表示領域Ａと、電子辞書コンテンツ表示領域Ｂとに分け、各種アイコンは、アイコン表示領域Ａに、電子辞書コンテンツは、電子辞書コンテンツ表示領域Ｂに表示させるようにしてもよい。これにより、どの範囲が電子辞書コンテンツの表示であるかを明確にすることができる。なお、表示制御部４は、他のアイコンをポップアップさせる場合には、アイコン表示領域Ａ内に縦方向にポップアップさせればよい。
【００５１】
（表示例５）
図６は、電子辞書端末１００の表示例５を示す図である。本表示例においては、表示制御部４は、各見出し語から所定の範囲内に単語帳登録に関連するアイコンを表示させることに加えて、辞書画面全体を対象とした操作を行うためのツールメニュー２２を表示させる。
【００５２】
表示制御部４は、ツールメニュー２２上に、単語帳登録に関連するアイコンを複数表示させる。表示制御部４は、ツールメニュー２２の、見出し語表示アイコン２３または本文表示アイコン２４が選択されたとき、辞書全体を対象として、見出し語または本文（見出し語の説明情報）の表示／非表示を切り替える。
【００５３】
なお、位置５１において示されているように、表示制御部４は、各見出し語に対しても、見出し語表示アイコン１４、および本文表示アイコン１５を表示してもよい。表示制御部４は、各見出し語に対応する見出し語表示アイコン１４または本文表示アイコン１５が選択されたとき、見出し語毎に、見出し語およびその説明情報の表示／非表示を切り替える。
【００５４】
ツールメニュー２２と見出し語毎のアイコンで、表示設定が異なる場合は、表示制御部４は、見出し語毎に表示されているアイコンの表示設定を優先する。例えば、ツールメニュー２２において説明情報が非表示として設定されている場合でも、見出し語毎に表示されているアイコンにおいて説明情報を表示する設定になっている場合には、表示制御部４は、説明情報を表示させる。
【００５５】
また、一態様において、表示制御部４は、ある見出し語に対応する単語帳リスト前後アイコン１２がユーザにより選択されたとき、単語帳において当該ある見出し語の前または後に並んでいる別の見出し語が表示されるように、辞書画面を遷移させるとともに、当該別の見出し語に関連する表示設定を、当該ある見出し語と同じになるように設定してもよい。例えば、図６において、表示制御部４は、位置５１の見出し語表示アイコン１４および本文表示アイコン１５と共通する見出し語に対応する単語帳リスト前後アイコン１２が選択されたとき、単語帳において前または後に並んでいる別の見出し語の表示設定を、位置５１の見出し語表示アイコン１４および本文表示アイコン１５と同じに設定してもよい。これにより、ユーザは、同じ表示設定で、単語帳にある見出し語を順次確認することができる。
【００５６】
（表示例６）
図７は、電子辞書端末１００の表示例６を示す図である。表示例６においては、表示制御部４は、見出し語から所定の範囲内の一領域を、各見出し語の単語帳登録の有無、および各見出し語の重要度等に応じて、異なる色で表示させる。なお、各見出し語の重要度は、例えばユーザが自由に設定する形態とすることができる。また見出し語から所定の範囲内の一領域とは、特に限定されないが、例えば図７において示すように、各見出し語の単語帳登録に関連するアイコンを表示している領域の一部分であり得る。
【００５７】
一態様において、表示制御部４は、見出し語が単語帳に登録されていない場合、見出し語から所定の範囲内の一領域を、２５ａ、および２５ｂに示す色で表示させる。
【００５８】
また、表示制御部４は、見出し語が単語帳に登録されており、かつ重要度が高く、ユーザが暗記中である場合、見出し語から所定の範囲内の一領域を、２６に示す色で表示させる。なお、表示制御部４は、色２６で表示する一領域の面積を、見出し語の重要度のレベルに応じて変更させてもよい。また、表示制御部４は、見出し語の重要度のレベルに応じて色２６の表示濃度を変更させてもよい。なお、ユーザが各見出し語を暗記中であるか否かを示す情報は、ユーザによって入力され、単語帳保持部５が保持していればよい。
【００５９】
また、表示制御部４は、見出し語が単語帳に登録されており、かつユーザが暗記中である場合、見出し語から所定の範囲内の一領域を２８の色で表示させる。また、表示制御部４は、見出し語が単語帳に登録されており、かつユーザが暗記済みの場合、見出し語から所定の範囲内の一領域を２９の色で表示させる。見出し語が単語帳に登録されており、かつ重要であり、なおかつユーザが暗記ではない場合、見出し語から所定の範囲内の一領域を２７の色で表示する。
【００６０】
なお、各領域を表示する色２５〜２９は、互いに異なる色であれば、特に限定されない。また、各領域を表示する色は、例えばユーザが自由に設定する形態とすることができる。
【００６１】
（表示例７）
図８は、電子辞書端末１００の表示例７を示す図である。本表示例においては、表示制御部４は、表示例６において示した色２５〜２９による表示に加えて、その電子辞書端末１００における各見出し語の検索回数３０、およびクラウド連携により取得した、特定の集団における各見出し語の合計検索回数３１を表示させる。また、表示制御部４は、合計検索回数３１に替えて、または、加えて、特定の集団における各見出し語の各単語帳への登録数を表示させてもよい。
【００６２】
図１０は、電子辞書端末１００を含むクラウド連携のための表示システム２００の概略構成を示す図である。図１０に示すように、表示システム２００は、複数の電子辞書端末１００と、サーバ２０１とを含んでいる。複数の電子辞書端末１００と、サーバ２０１とは、ネットワークを介して接続されている。
【００６３】
表示システム２００を構成する電子辞書端末１００は、当該電子辞書端末１００において各見出し語が検索された回数である検索回数、または、当該電子辞書端末１００の単語帳に登録されている見出し語をサーバ２０１に送信し、サーバ２０１から、当該電子辞書端末１００および他の電子辞書端末１００において各見出し語が検索された回数の合計検索回数、または、当該電子辞書端末１００および他の電子辞書端末１００において各見出し語が各電子辞書端末１００の単語帳に登録されている数である登録数を取得する通信部６を更に備えている。表示システム２００を構成する電子辞書端末１００は、同じ集団、例えば、同じクラスに属するユーザの所有する電子辞書端末１００であり得る。
【００６４】
表示制御部４は、通信部６が取得した合計検索回数または登録数を示す表示を、上記各見出し語から所定の範囲内に表示させる。これにより、ユーザは、各見出し語について、自分の検索回数３０のみならず、例えば学校などの集団における各見出し語の合計検索回数３１を参考にして、見出し語を効率よく学習することができる。なお、表示制御部４は、合計検索回数または登録数を数で表現する代わりに、例えば三段階で表示させてもよいし、複数の色によって表示させてもよい。
【００６５】
〔所定の範囲について〕
表示制御部４が、各見出し語に対応するアイコンを表示させる「所定の範囲」は、各見出し語から当該「所定の範囲」までの距離が、他の見出し語から当該「所定の範囲」までの距離よりも近くになるように設定されていればよいが、例えば、単語帳登録解除アイコン１１および単語帳登録解除アイコン１１については、対応する見出し語に隣接する範囲を「所定の範囲」とすることが好ましく、他のアイコン（単語帳リスト前後アイコン１２、画面遷移アイコン１３、見出し語表示アイコン１４、本文表示アイコン１５、類義語検索アイコン１６、対語検索アイコン１７、メニューアイコン１９、単語帳リスト前アイコン２０、単語帳リスト後アイコン２１）については、単語帳登録解除アイコン１１または単語帳登録解除アイコン１１に隣接する範囲を「所定の範囲」とすることが好ましい。
【００６６】
〔ソフトウェアによる実現例〕
電子辞書端末１００の制御ブロック（特に主制御部３）は、集積回路（ＩＣチップ）等に形成された論理回路（ハードウェア）によって実現してもよいし、ソフトウェアによって実現してもよい。
【００６７】
後者の場合、電子辞書端末１００は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６９】
（まとめ）
本発明の態様１に係る表示装置（電子辞書端末１００）は、表示部（１）と、見出し語（６０ａ、６０ｂ）および当該見出し語の説明情報（７０ａ、７０ｂ）を含む電子辞書コンテンツを、前記見出し語毎に頁を変えずに前記表示部に表示させる表示制御部（４）と、前記見出し語のリストである単語帳を保持する単語帳保持部（５）と、を備え、前記表示制御部は、前記表示部に複数の見出し語を表示させているとき、当該各見出し語に対応する単語帳操作アイコン（単語帳登録アイコン１０、単語帳登録解除アイコン１１）を、当該各見出し語から所定の範囲内にそれぞれ表示させ、前記単語帳保持部は、前記単語帳操作アイコンが選択されたとき、当該単語帳操作アイコンに対応する見出し語を、前記単語帳に登録または登録解除する。
【００７０】
上記の構成によれば、複数の見出し語とその説明情報とを表示する表示形式において、単語帳登録に関連する操作を容易にすることができる。
【００７１】
本発明の態様２に係る表示装置は、上記態様１において、上記単語帳操作アイコンは、単語帳登録アイコン（１０）および単語帳登録解除アイコン（１１）を含み、前記表示制御部は、前記単語帳に含まれていない見出し語から所定の範囲内には前記単語帳登録アイコンを表示させ、前記単語帳に含まれている見出し語から所定の範囲内には前記単語帳登録解除アイコンを表示させ、前記単語帳保持部は、前記単語帳登録アイコンが選択されたとき、当該単語帳登録アイコンに対応する見出し語を、前記単語帳に追加し、前記単語帳登録解除アイコンが選択されたとき、当該単語帳登録解除アイコンに対応する見出し語を、前記単語帳から削除する。
【００７２】
上記の構成によれば、各見出し語が単語帳に登録されているか否かを、ユーザが容易に認識することができる。
【００７３】
本発明の態様３に係る表示装置は、上記態様１または２において、前記表示制御部は、前記見出し語に対応する単語帳リスト前後アイコン（１２）を、当該各見出し語から所定の範囲内にさらに表示させ、前記単語帳リスト前後アイコンが選択されたとき、前記単語帳において、当該単語帳リスト前後アイコンに対応する見出し語の前または後に並んでいる見出し語が含まれる前記電子辞書コンテンツの頁を前記表示部に表示させる。
【００７４】
上記の構成によれば、ユーザが、単語帳における見出し語の並び順に基づいて、学習を行うことができる。
【００７５】
本発明の態様４に係る表示装置は、上記態様３において、上記単語帳において、上記見出し語の並び順は、各見出し語を登録した時系列順である登録順、各見出し語の辞書における並び順である辞書順、各見出し語の検索回数の多い順である検索回数順、およびランダム順からなる群から選ばれる少なくとも一種類である
上記の構成によれば、ユーザは、登録順、辞書順、検索回数順、およびランダム順の少なくとも一種類の順に並んだ単語帳を利用して、学習を行うことができる。
【００７６】
本発明の態様５に係る表示装置は、上記態様１〜４において、前記表示制御部は、各見出し語について、該見出し語が検索された検索回数を表示する検索回数表示アイコン（その電子辞書端末１００における各見出し語の検索回数３０）を、当該各見出し語から所定の範囲内にさらに表示させる。
【００７７】
上記の構成によれば、ユーザが、各見出し語の検索回数を参照して、学習を行うことができる。
【００７８】
本発明の態様６に係る表示装置は、上記態様１〜５において、前記表示制御部は、上記見出し語の重要度に応じて、上記各見出し語から所定の範囲内の一領域を異なる色（２６〜２９）で表示させる。
【００７９】
上記の構成によれば、ユーザが、各見出し語の重要度を、色によって容易に認識することができる。
【００８０】
本発明の態様７に係る表示装置は、上記態様１〜６において、各見出し語が検索された回数である検索回数、または、前記単語帳に登録されている見出し語をサーバに送信し、当該サーバから、前記表示装置および他の表示装置において各見出し語が検索された回数の合成検索回数、または、前記表示装置および他の表示装置において各見出し語が前記単語帳に登録されている数である登録数を取得する通信部を更に備え、前記表示制御部は、前記合計検索回数または前記登録数を示す表示（特定の集団における各見出し語の合計検索回数３１）を、上記各見出し語から所定の範囲内に表示させる。
【００８１】
上記の構成によれば、ユーザが、特定の集団における各見出し語の合計検索回数を参照して、学習を行うことができる。
【００８２】
本発明の態様８に係る表示装置の制御方法は、表示部を備えた表示装置の制御方法であって、見出し語および当該見出し語の説明情報を含む電子辞書コンテンツを、前記見出し語毎に頁を変えずに前記表示部に表示させる表示制御工程と、前記見出し語のリストである単語帳を保持する単語帳保持工程と、を含み、前記表示制御工程では、前記表示部に複数の見出し語を表示させているとき、当該各見出し語に対応する単語帳操作アイコンを、当該各見出し語から所定の範囲内にそれぞれ表示させ、前記単語帳操作アイコンが選択されたとき、当該単語帳操作アイコンに対応する見出し語を、前記単語帳に登録または登録解除する単語帳操作工程をさらに含む。
【００８３】
上記の構成によれば、態様１と同様の効果を奏する。
【符号の説明】
【００８４】
１００  電子辞書端末（表示装置）      １  表示部      １０  単語帳登録アイコン
１１  単語帳登録解除アイコン      １２  単語帳リスト前後アイコン
１３  画面遷移アイコン      １４、２３  見出し語表示アイコン
１５、２４  本文表示アイコン      １６  類義語検索アイコン
１７  対語検索アイコン      １９  メニューアイコン
２０  単語帳リスト前アイコン      ２１  単語帳リスト後アイコン
２２  ツールメニュー      ２５ａ、２５ｂ、２６〜２９  色
３０  その電子辞書端末１００における各見出し語の検索回数
３１  特定の集団における各見出し語の合計検索回数      ４０〜５１  位置
６０ａ〜６０ｄ  見出し語      ７０ａ、７０ｂ  見出し語の詳細情報
【図１】
2019049847.tif 000003
【図２】
2019049847.tif 000004
【図３】
2019049847.tif 000005
【図４】
2019049847.tif 000006
【図５】
2019049847.tif 000007
【図６】
2019049847.tif 000008
【図７】
2019049847.tif 000009
【図８】
2019049847.tif 000010
【図９】
2019049847.tif 000011
【図１０】
2019049847.tif 000012